(57)【要約】【課題】複数の有機ＥＬ発光部間の隙間に起因して記録媒体に露光不足領域が筋状に発生することを適切に防止または抑制し、記録画像の質を高めることが可能な有機ＥＬプリントヘッドを提供する。【解決手段】主走査方向ｘに列状に並ぶようにして複数の有機ＥＬ発光部３１が基板本体３０上に設けられている有機ＥＬプリントヘッド基板３と、主走査方向ｘに列状に並び、かつ各有機ＥＬ発光部３１において発生した光を目的領域に集束させるための複数のレンズとを備えている、有機ＥＬプリントヘッドであって、複数の有機ＥＬ発光部３１と上記複数のレンズとの間には、各有機ＥＬ発光部３１から進行してきた光を、少なくとも主走査方向に拡散させる光拡散手段６が設けられている。【選択図】  図６
2006341466.tif 000002
【特許請求の範囲】
【請求項１】
主走査方向に列状に並ぶようにして複数の有機ＥＬ発光部が基板本体上に設けられている有機ＥＬプリントヘッド基板と、
上記主走査方向に列状に並び、かつ上記各有機ＥＬ発光部において発生した光を目的領域に集束させるための複数のレンズと、
を備えている、有機ＥＬプリントヘッドであって、
上記複数の有機ＥＬ発光部と上記複数のレンズとの間には、上記各有機ＥＬ発光部から進行してきた光を、少なくとも主走査方向に拡散させる光拡散手段が設けられていることを特徴とする、有機ＥＬプリントヘッド。
【請求項２】
上記有機ＥＬプリントヘッド基板は、上記各有機ＥＬ発光部において発生した光が上記基板本体を透過してこの基板本体の光出射面から出射するように構成されており、
上記光出射面は、光の拡散が可能な凹凸面として形成されており、この光出射面が上記光拡散手段である、請求項１に記載の有機ＥＬプリントヘッド。
【請求項３】
上記有機ＥＬプリントヘッド基板は、上記各有機ＥＬ発光部において発生した光が上記基板本体を透過してこの基板本体の光出射面から出射するように構成されており、
上記光出射面には、光の拡散が可能な凹凸面を備えた光拡散フィルムが積層されており、この光拡散フィルムが上記光拡散手段である、請求項１に記載の有機ＥＬプリントヘッド。
【請求項４】
上記凹凸面は、副走査方向に延びて主走査方向に間隔を隔てて並ぶ複数の凹溝または凸状のリブを有しており、かつ上記各凹溝の内面、または上記リブの外面は、少なくともその一部が主走査方向において傾斜した構成とされている、請求項２または３に記載の有機ＥＬプリントヘッド。
【請求項５】
上記凹凸面は、粗面処理を施された面である、請求項２または３に記載の有機ＥＬプリントヘッド。
【請求項６】
上記光拡散手段は、上記有機ＥＬ発光部から進行してくる光が透過する部材内に、複数の光拡散ビーズが分散して設けられた構成を有している、請求項１に記載の有機ＥＬプリントヘッド。
【請求項７】
上記有機ＥＬプリントヘッド基板は、上記複数の有機ＥＬ発光部において発生した光を上記基板本体とは反対方向に出射するように構成されており、
上記基板本体とは反対方向の領域には、上記複数の有機ＥＬ発光部を覆う封止手段が設けられ、かつこの封止手段は、上記複数のレンズを含むレンズアレイを用いて構成されており、
上記光拡散手段は、上記封止部材に設けられている、請求項１に記載の有機ＥＬプリントヘッド。
【発明の詳細な説明】
【技術分野】
【０００１】
本発明は、感光式の記録媒体に画像を形成するのに使用される有機ＥＬプリントヘッドに関する。
【背景技術】
【０００２】
従来、有機ＥＬプリントヘッドの具体例としては、図１６に示すものがある（たとえば、特許文献１を参照）。同図に示す有機ＥＬプリントヘッド９は、ケース９０に、有機ＥＬプリントヘッド基板９１、レンズアレイ９２、および透明カバー９３が組み付けられた構造を有している。有機ＥＬプリントヘッド基板９１は、赤色、緑色、および青色の光をそれぞれ個々に発する複数の有機ＥＬ発光部９８（９８Ｒ，９８Ｇ，９８Ｂ）を有している。これら複数の有機ＥＬ発光部９８Ｒ，９８Ｇ，９８Ｂのそれぞれは、たとえば図１７に模式的に示すように、主走査方向ｘに一定間隔で列状に並んだ構成に設けられている。
【０００３】
図１６に示した有機ＥＬプリントヘッド９においては、複数の有機ＥＬ発光部９８から発せられた光がレンズアレイ９２を透過し、透明カバー９３上の感光紙Ｋの表面の３つのライン状領域９４Ｒ，９４Ｇ，９４Ｂに集束して照射される。感光紙Ｋは、プラテンローラＰにより副走査方向に搬送される。このような動作により、感光紙Ｋは露光され、この感光紙Ｋには所望の画像を形成することが可能である。
【０００４】
しかしながら、前記従来技術においては、次に述べるように、改善すべき点があった。
【０００５】
すなわち、複数の有機ＥＬ発光部９８（９８Ｒ，９８Ｇ，９８Ｂ）は、図１７に示したとおり、主走査方向ｘに並んでいるが、この主走査方向ｘにおいて、それらの間には隙間Ｓが形成されている。この隙間Ｓは、互いに隣り合う有機ＥＬ発光部９８どうし、およびこれらに付属する電極（図示略）どうしが互いに導通しないようにするために必要であり、この隙間Ｓを無くすことは困難である。また、この隙間Ｓの大きさは、製造技術のレベルに左右され、この隙間Ｓをさほど小さくできない場合がある。このため、それら複数の有機ＥＬ発光部９８を感光紙Ｋに対して副走査方向ｙに相対移動させながら露光を行なうと、図１８に示すように、感光紙Ｋには、副走査方向に延びる複数条の筋Ｓ'が発生する（クロスハッチング部分は感光部分である）。この筋Ｓ’は、前記の隙間Ｓに対応して形成された露光不足の部分である。このような筋Ｓ’が発生したのでは、記録画像の質が悪化することとなる。したがって、このような筋Ｓ’の発生が適切に防止されることが望まれる。
【０００６】
【特許文献１】特開２００３−９４７２９号公報
【発明の開示】
【発明が解決しようとする課題】
【０００７】
本発明は、このような事情のもとで考え出されたものであって、複数の有機ＥＬ発光部間の隙間に起因して記録媒体に露光不足領域が筋状に発生することを適切に防止または抑制し、記録画像の質を高めることが可能な有機ＥＬプリントヘッドを提供することを、その課題としている。
【課題を解決するための手段】
【０００８】
本発明は、主走査方向に列状に並ぶようにして複数の有機ＥＬ発光部が基板本体上に設けられている有機ＥＬプリントヘッド基板と、上記主走査方向に列状に並び、かつ上記各有機ＥＬ発光部において発生した光を目的領域に集束させるための複数のレンズと、を備えている、有機ＥＬプリントヘッドであって、上記複数の有機ＥＬ発光部と上記複数のレンズとの間には、上記各有機ＥＬ発光部から進行してきた光を、少なくとも主走査方向に拡散させる光拡散手段が設けられていることを特徴としている。
【０００９】
このような構成によれば、各有機ＥＬ発光部において発生した光は、レンズアレイに入射するまでの間において少なくとも主走査方向に拡散することとなる。このように光が主走査方向に拡散すると、この光がレンズアレイを透過して記録媒体上に到達した場合に、主走査方向において隣接するドット状の露光部分どうしが互いに重なり合い、あるいは接近することとなる。このため、従来技術とは異なり、記録媒体に露光不足領域が筋状に発生することを適切に防止または抑制することが可能となり、記録画像の質を高めることができる。また、上記した光拡散は、レンズアレイよりも前段において行なわれているために、この光についてはレンズアレイを利用して記録媒体上に適切に集束させることが可能であり、いわゆるピンぼけ画像にならないようにすることが可能である。
【００１０】
本発明の好ましい実施の形態においては、上記有機ＥＬプリントヘッド基板は、上記各有機ＥＬ発光部において発生した光が上記基板本体を透過してこの基板本体の光出射面から出射するように構成されており、上記光出射面は、光の拡散が可能な凹凸面として形成されており、この光出射面が上記光拡散手段である。
【００１１】
このような構成によれば、有機ＥＬプリントヘッド基板の基板本体を利用して光の拡散を行なわせることが可能であるため、光拡散を行なわせるための専用部材を用いる必要を無くし、部品点数を少なくするのに好適である。また、上記構成は、基板本体の片面に加工または処理を施すことにより実現されるものであるため、その製造も比較的容易である。
【００１２】
本発明の好ましい実施の形態においては、上記有機ＥＬプリントヘッド基板は、上記各有機ＥＬ発光部において発生した光が上記基板本体を透過してこの基板本体の光出射面から出射するように構成されており、上記光出射面には、光の拡散が可能な凹凸面を備えた光拡散フィルムが積層されており、この光拡散フィルムが上記光拡散手段である。
【００１３】
このような構成によれば、基板本体に特殊な加工を施すような必要はなく、光拡散フィルムを基板本体に積層させるだけで本発明の意図する作用が得られることとなり、製造コストを廉価にするのに好適である。
【００１４】
本発明の好ましい実施の形態においては、上記凹凸面は、副走査方向に延びて主走査方向に間隔を隔てて並ぶ複数の凹溝または凸状のリブを有しており、かつ上記各凹溝の内面、または上記リブの外面は、少なくともその一部が主走査方向において傾斜した構成とされている。
【００１５】
このような構成によれば、有機ＥＬ発光部から凹凸面に進行してきた光を、主走査方向のみに拡散させ、それ以外のたとえば副走査方向には拡散しないようにすることが可能である。したがって、記録媒体上の露光部分が副走査方向に拡大されないようにし、記録画像の質を高めるのにより好適となる。
【００１６】
本発明の好ましい実施の形態においては、上記凹凸面は、粗面処理を施された面である。また、これに代えて、上記光拡散手段は、上記有機ＥＬ発光部から進行してくる光が透過する部材内に、複数の光拡散ビーズが分散して設けられた構成とすることもできる。
【００１７】
これらの構成によれば、有機ＥＬ発光部から進行してきた光は主走査方向のみならず、それ以外のたとえば副走査方向にも拡散されることとなるが、主走査方向に光が拡散される作用により、本発明が意図する効果を好適に得ることが可能である。
【００１８】
本発明の好ましい実施の形態においては、上記有機ＥＬプリントヘッド基板は、上記複数の有機ＥＬ発光部において発生した光を上記基板本体とは反対方向に出射するように構成されており、上記基板本体とは反対方向の領域には、上記複数の有機ＥＬ発光部を覆う封止手段が設けられ、かつこの封止手段は、上記複数のレンズを含むレンズアレイを用いて構成されており、上記光拡散手段は、上記封止部材に設けられている。
【００１９】
このような構成によれば、有機ＥＬ発光部からの光の出射方向が先に述べたものとは反対となっているが、封止部材をうまく利用して光拡散手段が設けられており、その構成は合理的である。また、封止手段は、レンズアレイを利用して構成されているために、部品点数の削減なども好適に図ることができる。
【００２０】
本発明のその他の特徴および利点は、添付図面を参照して以下に行なう発明の実施の形態の説明から、より明らかになるであろう。
【発明を実施するための最良の形態】
【００２１】
以下、本発明の好ましい実施の形態について、図面を参照して具体的に説明する。
【００２２】
図１〜図６は、本発明が適用された有機ＥＬプリントヘッドの一例を示している。本実施形態の有機ＥＬプリントヘッドＡ１は、感光紙Ｋにカラー画像を形成するために使用されるものであり、赤色光、緑色光、および青色光を主走査方向（ｘ方向）に延びるライン状に出射できるように構成されている。有機ＥＬプリントヘッドＡ１は、図２に示すように、ケース２、有機ＥＬプリントヘッド基板３、およびレンズアレイ４を備えている。有機ＥＬプリントヘッド３には、光拡散フィルム６が積層して接着されている。
【００２３】
図３および図４に示すように、ケース２は、有機ＥＬプリントヘッド基板３とレンズアレイ４との位置関係を規定してこれらを組み付けるためのものである。このケース２は、たとえば黒色の樹脂製である。
【００２４】
有機ＥＬプリントヘッド基板３は、ケース２の上部開口部２０を塞ぐようにしてケース２に固定されている。この有機ＥＬプリントヘッド基板３は、透明な基板本体３０の片面上に、複数の有機ＥＬ発光部３１を含む有機物質およびこれに関連する電極が積層された積層部Ｂ１が設けられた構成を有している。この積層部Ｂ１は、基板本体３０上に取り付けられた封止ケース５により封止されて保護されている。基板本体３０は、たとえば長矩形の略平板状の透明樹脂板あるいは透明ガラス板を用いて構成されており、この基板本体３０の下向きの光出射面３０ａに、光拡散フィルム６が積層している。
【００２５】
積層部Ｂ１の構成としては、従来既知のものと同様な構成とすることが可能であり、その一例について、図６を参照して説明する。すなわち、積層部Ｂ１は、基板本体３０の片面３０ｂ上に、複数の陽極３５、複数の有機層３６、および複数の陰極３７が順次積層して形成された構成を有している。複数の陽極３５は、たとえばＩＴＯからなり、透光性を有しており、図６の紙面と直交する方向に帯状に延びている。複数の陰極３７は、たとえばアルミニウムからなり、複数の陽極３５と直交する方向に延びている。複数の有機層３６は、複数の陰極３７と同方向に帯状に延びており、この帯状の部分のうち、複数の陰極３７と複数の陽極３５とが交差してこれらの間に挟まれた部分が有機ＥＬ発光部３１となっている。この有機ＥＬ発光部３１は、陽極３５および陰極３７を利用して電場が与えられた際に、エレクトロルミネッセントにより自発光する部分である。この発光部３１には、発光物質が含まれており、この発光物質の種類を選択することにより、赤色光、緑色光、青色光を発生させることが可能である。図面には示していないが、有機層３６は、そのような有機ＥＬ発光部３１の自発光効果を生じさせ、また促進させるための部分として、ホール注入層、ホール輸送層、電子輸送層、および電子注入層を有している。ただし、これらの層の一部については省略可能であり、これらの層をどのように組み合わせるかは任意に選択できる事項である。有機ＥＬ発光部３１から発せられた光は、複数の陰極３７によって下向きに反射されて透明な陽極３５を透過し、基板本体３０の光出射面３０ａから下向きに出射する。
【００２６】
複数の陰極３７および有機層３６は、図５に示すように、基板本体３０の長手方向に延びる３列に設けられている。３列の有機層３６は、それぞれ赤色光、緑色光、および青色光を発する複数の有機ＥＬ発光部３１（３１Ｒ，３１Ｇ，３１Ｂ）を含んでおり、これらは一定間隔で基板本体３０の長手方向に列状に並んでいる。３列の陰極３７の長手方向端部のそれぞれには、端子部３７ａが連設されている。これに対し、複数の陽極３５は、その一端部が基板本体３０上に搭載された複数の駆動ＩＣ３４に向けて延設され、この駆動ＩＣ３４に導通接続されている。これら複数の駆動ＩＣ３４のスイッチング動作により、通電のオン・オフがなされ、複数の有機ＥＬ発光部３１（３１Ｒ，３１Ｇ，３１Ｂ）の発光駆動が制御される。なお、図５においては、有機ＥＬプリントヘッド基板３の右側の端部のみが描かれているが、これとは反対の左側の端部は、右側の端部と対称となっている。
【００２７】
図６に示すように、光拡散フィルム６は、基板本体３０の光出射面３０ａから出射した光を、主走査方向ｘに拡散させるためのものである。この光拡散フィルム６は、透明な樹脂製フィルムであり、その片面は、副走査方向ｙに一様に延びる複数の凹溝６０が主走査方向ｘに間隔を隔てて形成された凹凸面とされている。各凹溝６０は、断面三角形状であり、Ｖ字状をなす一対の傾斜面６０ａを有している。この傾斜面６０ａは、光出射面３０ａから出射した光を屈折させて、主走査方向ｘに拡散させる作用を発揮する。光拡散フィルム６は、これら複数の凹溝６０を形成した面が光出射面３０ａに対向するようにして基板本体３０に接合されている。
【００２８】
なお、本実施形態では、光拡散フィルム６が基板本体３０の光出射面３０ａの略全面に積層されているが、これに限定されない。複数の有機ＥＬ発光部３１の直下領域のみに部分的に設けてもよい。また、図６においては、１つの有機ＥＬ発光部３１の下方に１つの凹溝６０が位置する構成となっているが、やはりこれに限定されない。たとえば、凹溝６０の幅を小さくし、１つの有機ＥＬ発光部３１の下方に、複数の凹溝６０が位置する構成としてもよい。要は、各凹溝６０は、有機ＥＬ発光部３１から発せられた光が、この有機ＥＬ発光部３１の主走査方向ｘの幅よりも拡大するように広がらせる作用を発揮すればよい。この点は、後述の他の実施形態の光拡散手段についても同様である。なお、複数の凹溝６０は、たとえば光拡散フィルム６を成形用の型を用いて樹脂成形する場合にはこの型に複数の凸部を設けておくことにより形成することができ、また延伸成形の場合には延伸ローラの表面に複数の凸部を形成しておくことにより形成することができる。傾斜面６０ａの具体的な傾斜角度は、光拡散フィルム６の屈折率や、複数の有機ＥＬ発光部３１の主走査方向ｘの隙間間隔などに応じて適宜選択できる事項である。
【００２９】
図２および図４に示すように、レンズアレイ４は、複数のロッドレンズ４０を樹脂製のレンズホルダ４１に保持させたものである。ロッドレンズ４０は、たとえば正立等倍の像を結像可能な集光特性を有しており、主走査方向ｘに１列または複数列に並んで設けられている。このレンズアレイ４は、光拡散フィルム６を透過してきた光を受けるようにケース２の内部空間部２２に嵌合収容されている。
【００３０】
次に、有機ＥＬプリントヘッドＡ１の作用について説明する。
【００３１】
まず、図１に示すように、感光紙Ｋにカラー画像を形成するには、有機ＥＬプリントヘッドＡ１を感光紙Ｋに対向させ、かつ副走査方向ｙに相対移動させながら感光紙Ｋに赤色光、緑色光および青色光を照射させる。この光の照射に際しては、有機ＥＬプリントヘッドＡ１の外部から複数の駆動ＩＣ３４に１ライン分の画像データを繰り返し入力し、目的とする有機ＥＬ発光部３１（３１Ｒ，３１Ｇ，３１Ｂ）を発光させる。有機ＥＬ発光部３１から発せられた光は、基板本体３０、光拡散フィルム６、およびロッドレンズ４０を順次透過して感光紙Ｋ上に集束し、感光紙Ｋを露光させる。感光紙Ｋは、この露光後に現像液など用いて現像処理されることにより、前記露光に対応したカラー画像を顕在化させる。
【００３２】
光拡散フィルム６は、図６を参照して説明したとおり、有機ＥＬ発光部３１から進行してきた光を主走査方向ｘに拡散させる役割を果たし、この光拡散フィルム６によって拡散された光がレンズアレイ４を利用して集束されることとなる。したがって、複数の有機ＥＬ発光部３１については、主走査方向ｘに適当な隙間を隔てて並んでいるものの、複数の有機ＥＬ発光部３１から発せられて感光紙Ｋ上に集束された光は、図７（ａ）に示すように、主走査方向ｘにやや広がったドットＤ（ＤＲ，ＤＧ，ＤＢ）となる。
【００３３】
このため、主走査方向ｘにおいて隣り合うドットＤ間には、隙間が生じないようにすることが可能である。その結果、有機ＥＬプリントヘッドＡ１と感光紙Ｋとを副走査方向に相対移動させて画像形成を行なう場合には、同図（ｂ）に示すように前記した隙間の無いドットＤが副走査方向ｙに連続した領域Ｄ’が形成されることとなり、従来技術とは異なり、露光不足の領域が筋状に現れないようにすることができる。したがって、感光紙Ｋに形成される画像の質を高めることが可能となる。とくに、本実施形態では、光の拡散は、主走査方向ｘにおいてのみなされており、副走査方向には光の拡散がなされていないために、各ドットＤがぼやけたものにならないようにして鮮明な画像を形成するのに好適である。主走査方向ｘに光を拡散させる場合、その拡散幅を大きくし過ぎると、主走査方向ｘにおいて隣り合うドットＤどうしのオーバラップ量が多くなって画質が低下するが、そのような過大なオーバラップが生じないように光の拡散度合いを規定すれば、非常に鮮明な画像を得ることが可能である。
【００３４】
図８〜図１５は、本発明の他の例を示している。こられの図において、上記実施形態と同一または類似の要素には、上記実施形態と同一の符号を付している。
【００３５】
図８（ａ）に示す構成においては、光拡散フィルム６Ａの各凹溝６０Ａが断面台形状であり、一対の傾斜面６０ａに加えて、底面６０ｂをも有している。底面６０ａは、光を主走査方向ｘに拡散させる機能は発揮しないものの、傾斜面６０ａが光を主走査方向ｘに拡散させる。本発明では、このような構成にしてもよい。
【００３６】
図８（ｂ）に示す構成においては、光拡散フィルム６Ｂの各凹溝６０Ｂが断面略半円状であり、その内壁面６０ｃは、曲面状である。このような曲面状の内壁面６０ｃであっても、この内壁面６０ｃの一部分は、主走査方向ｘに傾斜した傾斜面となっており、光を主走査方向ｘに拡散させる作用を発揮する。本発明では、光拡散フィルムの凹溝をこのような曲面状の傾斜面を備えたものにしてもよい。
【００３７】
図９（ａ）〜（ｃ）に示す構成においては、光拡散フィルム６Ｃの凹溝６０，６０Ａ，６０Ｂが、光拡散フィルム６の両面のうち、基板本体３０とは反対側の面に形成されている。このような構成によっても、上記実施形態と同様に、受けた光を主走査方向ｘに拡散させることが可能である。
【００３８】
図１０（ａ）に示す構成においては、光拡散フィルム６Ｄに、複数の凸状のリブ６１が形成されている。これら複数のリブ６１は、断面三角状であり、副走査方向ｙに一様に延びており、また主走査方向ｘに間隔を隔てて並んでいる。各リブ６１は、主走査方向ｘにおいて傾斜する一対の傾斜面６１ａを有しており、この傾斜面６１ａが有機ＥＬ発光部３１から進行してきた光を主走査方向ｘに拡散させる作用を発揮する。このように、本発明においては、光を屈折させる手段として、凹溝に代えて、凸状のリブを利用した構成とすることもできる。この場合、リブの形状は、同図（ａ）に示すものに限定されず、たとえば同図（ｂ），（ｃ）に示すように、先端に非傾斜面６１ｂを備えたリブ６１Ａ、あるいは側面６１ｃが曲面状にされたリブ６１Ｂとすることが可能である。このことは、図９に示した実施形態からも容易に理解できるであろう。
【００３９】
図１１（ａ）に示す構成においては、光拡散フィルム６Ｅの表面６２が微小な凹凸を有する粗面とされている。粗面処理手段としては、ブラスト処理あるいはエッチング処理手段を用いることが可能である。このような構成によれば、有機ＥＬ発光部３１から進行してきた光が光拡散フィルム６Ｅの表面６２を通過する際に、この光は種々の方向に屈折して拡散することとなる。ただし、主走査方向ｘへの光の拡散作用により、感光紙Ｋ上に副走査方向ｙに延びる露光不足領域の筋が現れないようにすることが可能であり、本発明の意図する効果が得られる。
【００４０】
図１１（ｂ）に示す構成においては、光拡散フィルム６Ｆの内部に、光の反射率が高い光拡散ビーズ６４が分散されている。この光拡散ビーズ６４は、受けた光を種々の方向に拡散させる。したがって、このような構成によっても、感光紙Ｋ上に露光不足領域の筋が現れないようにすることが可能である。
【００４１】
図１２（ａ）〜（ｄ）に示す構成においては、光拡散フィルムが用いられておらず、有機ＥＬプリントヘッド基板３の基板本体３０の全体または一部が、光拡散手段として構成されている。すなわち、同図（ａ）では、基板本体３０の光出射面３０ａに傾斜面６２ａを備えた複数の凹溝６２が形成されている。同図（ｂ）では、光出射面３０ａに傾斜面６３ａを備えた複数の凸状のリブ６３が形成されている。同図（ｃ）では、光出射面３０ａが粗面とされており、同図（ｄ）では、基板本体３０の内部に光拡散ビーズ６４が分散して設けられている。
【００４２】
図１２（ａ）〜（ｄ）のいずれの構成においても、先に説明した光拡散フィルムを用いた構成の実施形態と同様に、光を主走査方向ｘに拡散させることが可能であり、本発明の意図する効果が得られる。そして、これらの構成によれば、光拡散フィルムを用いない分だけ、部品点数を少なくする利点が得られる。
【００４３】
図１３に示す構成においては、光拡散フィルムまたは光拡散フィルムを含むシート体または板状体などの光拡散手段６Ｆが、レンズアレイ４の複数のロッドレンズ４０を覆うようにしてこのレンズアレイ４上に設けられている。図１４に示す構成においては、光拡散手段６Ｆがケース２に支持されて、レンズアレイ４と基板本体３０との中間領域に設けられている。これらの構成においても、先に述べた実施形態と同様な効果を得ることが可能である。
【００４４】
図１５（ａ）に示す有機ＥＬプリントヘッドＡ２は、有機ＥＬプリントヘッド基板３Ａが、積層部Ｂ２から基板本体３０Ａとは反対方向（図面の上方）に向けて光を出射するように構成されている。レンズアレイ４Ａは、基板本体３０Ａ上に載設されて、積層部Ｂ２を封止する封止ケースとしての役割を果たすように構成されている。そして、このレンズアレイ４Ａの光入射部分（下面部分）に光拡散フィルム６が積層して設けられている。
【００４５】
より具体的には、図１５（ｂ）において、積層部Ｂ２は、先に述べた積層部Ｂ１とその基本的な構成は共通するが、複数の陽極３５Ａが反射電極として構成されている一方、複数の陰極３７Ａが透明電極として構成されている点において異なっている。各陽極３５Ａは、反射率が高く、有機層３６への正孔注入効率の高い材料、たとえばモリブデンあるいはクロムにより形成されている。各陽極３５Ａは、表面の光反射率が高ければよく、たとえばＩＴＯなどの導体の表面に、上記したモリブデンやクロムの金属層を重ねて設けた構成であってもよい。このようにすると、陽極３５Ａの厚みが大きくなり、陽極３５Ａの抵抗値を小さくして駆動電圧を低くすることが可能となる。各陰極３７Ａは、金属薄膜層３７０上に導体層３７１を積層した構成を有している。金属薄膜層３７０は、有機層３６への電子注入効率の高い材料、たとえば仕事関数または電子親和力の小さい材料であるアルミニウム、マグネシウム−銀合金、アルミニウム−リチウム合金により、厚みが５０ｎｍ以下に形成され、透光性を有している。一方、導体層３７１は、陰極３７Ａの抵抗値を小さくするためのものであり、たとえばＩＴＯからなる。このような積層部Ｂ２の構成によれば、複数の有機層３６の複数の有機ＥＬ発光部３１（３１Ｒ，３１Ｇ，３１Ｂ）において発生した光は、その一部が陰極３７Ａを直接透過し、また他の一部は陽極３５Ａによって反射されてから陰極３７Ａを透過することにより、基板本体３０Ａとは反対方向に出射する。基板本体３０Ａは、透明である必要はない。
【００４６】
図１５（ａ）に示すように、レンズアレイ４Ａのレンズホルダ４１Ａは、複数のロッドレンズ４０を支持するメイン領域４１０と、これに繋がったサブ領域４１１とを有している。メイン領域４１０は、複数のロッドレンズ４０を積層部Ｂ２の正面（図面では上方）に配置させて支持させる領域であり、積層部Ｂ２の正面領域を覆っている。サブ領域４１１は、メイン領域４１０の一面（下向き面）から下方に突出した枠状であり、その下端先端は基板本体３０Ａに当接して接合されている。このサブ領域４１１は、積層部Ｂ２の周囲を覆っている。
【００４７】
この有機ＥＬプリントヘッドＡ２においては、光の出射方向が先の実施形態とは異なるものの、各有機ＥＬ発光部３１から発せられた光は、レンズアレイ４Ａに入射する前に、光拡散フィルム６によって主走査方向ｘに拡散されるために、やはり先の実施形態と同様な効果を得ることができる。加えて、この有機ＥＬプリントヘッドＡ２においては、レンズアレイ４Ａを利用して積層部Ｂ２の封止を行なっているために、全体の部品点数を少なくするなどの利点が得られる。
【００４８】
本発明は、上述した実施形態の内容に限定されない。本発明に係る有機ＥＬプリントヘッドの各部の具体的な構成は、種々に設計変更自在である。
【００４９】
本発明は、カラー画像形成用のものに限らず、たとえばモノクロ画像形成用のものにも適用することができる。また、本発明に係る有機ＥＬプリントヘッドの具体的な使用用途も限定されず、感光紙とは異なる記録媒体への露光に用いることも可能である。
【図面の簡単な説明】
【００５０】
【図１】本発明に係る有機ＥＬプリントヘッドの一例を示す全体斜視図である。
【図２】図１に示す有機ＥＬプリントヘッドの分解斜視図である。
【図３】図１のIII−III断面図である。
【図４】図１のIV−IV断面図である。
【図５】図１に示す有機ＥＬプリントヘッドの要部分解斜視図である。
【図６】図１に示す有機ＥＬプリントヘッドの要部拡大断面図である。
【図７】（ａ），（ｂ）は、図１に示す有機ＥＬプリントヘッドを用いて感光紙に露光を行なった場合の例を模式的に示す説明図である。
【図８】（ａ），（ｂ）は、光拡散フィルムの他の例を示す要部断面図である。
【図９】（ａ）〜（ｃ）は、光拡散フィルムの他の例を示す要部断面図である。
【図１０】（ａ）〜（ｃ）は、光拡散フィルムの他の例を示す要部断面図である。
【図１１】（ａ），（ｂ）は、光拡散フィルムの他の例を示す要部断面図である。
【図１２】（ａ）〜（ｄ）は、光拡散手段を有機ＥＬプリントヘッドの基板本体に適用した例を示す要部断面図である。
【図１３】本発明に係る有機ＥＬプリントヘッドの他の例を示す概略断面図である。
【図１４】本発明に係る有機ＥＬプリントヘッドの他の例を示す概略断面図である。
【図１５】（ａ）は、本発明に係る有機ＥＬプリントヘッドの他の例を示す概略断面図であり、（ｂ）は、その要部拡大断面図である。
【図１６】従来技術の一例を示す断面図である。
【図１７】複数の有機ＥＬ発光部の配列の一例を示す説明図である。
【図１８】従来技術における記録画像の例を模式的に示す説明図である。
【符号の説明】
【００５１】
Ａ１，Ａ２        有機ＥＬプリントヘッド
３，３Ａ          有機ＥＬプリントヘッド基板
４，４Ａ          レンズアレイ
６                光拡散フィルム
３０，３０Ａ        基板本体
３０ａ            光出射面
３１              有機ＥＬ発光部
６０              凹溝
６０ａ            傾斜面
６１              凸状のリブ
６１ａ            傾斜面
【図１】
2006341466.tif 000003
【図２】
2006341466.tif 000004
【図３】
2006341466.tif 000005
【図４】
2006341466.tif 000006
【図５】
2006341466.tif 000007
【図６】
2006341466.tif 000008
【図７】
2006341466.tif 000009
【図８】
2006341466.tif 000010
【図９】
2006341466.tif 000011
【図１０】
2006341466.tif 000012
【図１１】
2006341466.tif 000013
【図１２】
2006341466.tif 000014
【図１３】
2006341466.tif 000015
【図１４】
2006341466.tif 000016
【図１５】
2006341466.tif 000017
【図１６】
2006341466.tif 000018
【図１７】
2006341466.tif 000019
【図１８】
2006341466.tif 000020